(57)【特許請求の範囲】
【請求項１】
機枠と、この機枠に対してヒンジ機構を介して開閉可能に軸支された本体枠と、この本体枠に対して別のヒンジ機構を介して開閉可能に軸支された前面扉と、シリンダ錠を有する施錠装置とを備え、前記施錠装置によって前記本体枠が前記機枠に対して施錠されると共に、前記前面扉が前記本体枠に対して施錠されるパチンコ機において、
前記施錠装置は、前記本体枠に設置された縦長状のベース部材と、このベース部材に上下動可能に支持されて機枠側の受け部に係止可能な鉤部を有する第１の施錠杆と、前記ベース部材に上下動可能に支持されて前面扉側の受け部に係止可能な鉤部を有する第２の施錠杆と、これら第１および第２の施錠杆を前記ベース部材の長手方向に沿って互いに逆向きに付勢する第１の弾性手段と、前記ベース部材に揺動可能に支持されて前記第１の施錠杆に係脱可能な第１のロックレバーと、前記ベース部材に揺動可能に支持されて前記第２の施錠杆に係脱可能な第２のロックレバーと、これら両ロックレバーを対応する前記第１および第２の施錠杆と係合する方向へ付勢する第２の弾性手段と、前記ベース部材に揺動可能に支持されて前記機枠に接離可能な第１の規制レバーと、前記ベース部材に揺動可能に支持されて前記前面扉に接離可能な第２の規制レバーと、これら両規制レバーを対応する前記ロックレバーと係合する方向へ付勢する第３の弾性手段と、前記シリンダ錠の鍵穴に差し込んだキーの回転操作によって前記ベース部材の長手方向に沿って上下動するロック解除部材とを有しており、
前記本体枠と前記前面扉がいずれも施錠されているとき、前記第１および第２のロックレバーがそれぞれ対応する前記第１および第２の施錠杆に係合することにより、これら第１および第２の施錠杆は前記鉤部を対応する前記受け部に係止した状態でロックされていると共に、前記第１および第２の規制レバーはそれぞれ前記機枠と前記前面扉に当接して非作動位置に保持されており、
前記キーの回転操作に伴って前記ロック解除部材を上下いずれか一方へ移動することにより、該ロック解除部材が前記第１および第２の前記ロックレバーのいずれか一方を揺動させて対応する前記第１または第２の施錠杆のロック状態を解除するようになし、
前記本体枠が前記機枠に対して解錠されたとき、前記第１の規制レバーが前記機枠から離反して前記第１のロックレバーに圧接されることにより、該第１のロックレバーが前記第１の施錠杆をロック解除状態に維持すると共に、前記前面扉が前記本体枠に対して解錠されたとき、前記第２の規制レバーが前記前面扉から離反して前記第２のロックレバーに圧接されることにより、該第２のロックレバーが前記第２の施錠杆をロック解除状態に維持するようにしたことを特徴とするパチンコ機。
【請求項２】
請求項１の記載において、前記ベース部材が前記ロック解除部材を挟んで一体化されたベース本体とカバー体とを有しており、前記ベース本体に前記第１および第２の施錠杆が上下動可能に支持されていると共に、前記カバー体に前記第１および第２のロックレバーと前記第１および第２の規制レバーがそれぞれ揺動可能に支持されていることを特徴とするパチンコ機。
【発明の詳細な説明】
【技術分野】
【０００１】
本発明は、遊技盤を目視可能な前面扉が本体枠に対して開閉可能に支持されていると共に、この本体枠が機枠に対して開閉可能に支持されているパチンコ機に係り、特に、機枠に対する本体枠の施錠と本体枠に対する前面扉の施錠を行う施錠装置の改良に関するものである。
【背景技術】
【０００２】
一般的にパチンコ機は、遊技場の島設備に設置される縦長方形状の機枠（外枠）と、この機枠にヒンジ機構を介して扉状に開閉可能に取り付けられた本体枠と、この本体枠の内側に収容された遊技盤と、本体枠の前面に別のヒンジ機構を介して開閉可能に取り付けられた前面扉とを備えており、前面扉に形成された開口部には遊技盤を目視可能な透明板が取り付けられている。本体枠の背面側には、電装部品の一つである液晶表示装置が取り付けられる他、それ以外の電装部品として遊技に関する制御を行う制御処理装置（制御基板）や、賞球払出装置による賞球の払い出しを制御する払出基板、各部に電力を供給する電源基板、賞球数や扉開閉状態等のパチンコ機に関する各種情報を遊技場のホールコンピュータに出力する外部端子基板等が取り付けられている。
【０００３】
このように概略構成されたパチンコ機において、遊技者が前面扉や本体枠を無断で開放して不正行為をするのを防止するために、通常は本体枠にシリンダ錠を有する施錠装置を組み込み、この施錠装置を用いて機枠に対する本体枠の施錠と本体枠に対する前面扉の施錠とを行うようにしている。この種の施錠装置は、本体枠に取り付けられた縦長状のベース部材に一対の施錠杆を上下動可能に支持し、一方の施錠杆に形成された鉤部を機枠側の受け部に係止させると共に、他方の施錠杆に形成された鉤部を前面扉側の受け部に係止させるようにしている。そして、ベース部材に設けられたシリンダ錠を前面扉の前方へ露出させ、このシリンダ錠の鍵穴に差し込んだキーを正逆いずれかの方向に回転操作して一対の施錠杆を選択的に上下動させることにより、移動した側の鉤部と受け部との係止を外して解錠するようになっている。しかしながら、前面扉や本体枠が施錠状態であっても、本体枠の周囲にできる隙間から針金やピアノ線等を内部に挿入し、その先端を施錠杆に引っ掛けて鉤部が受け部から外れるように移動させると、前面扉や本体枠がキーを用いずに不正に解錠されてしまうという問題がある。
【０００４】
そこで、従来より、ベース部材に一対のロックレバーを揺動可能に支持すると共に、各施錠杆にそれぞれロック受け部材を揺動可能に支持し、前面扉と本体枠が施錠状態にあるとき、各ロックレバーを機枠側の当接部と前面扉側の当接部にそれぞれ当接させることにより、これらロックレバーを対応するロック受け部材に係合させて施錠杆の上下動を阻止するようにした施錠装置が提案されている（例えば、特許文献１参照）。この施錠装置では、シリンダ錠の鍵穴に差し込んだキーを回転操作すると、錠軸に取り付けられたカム部材がロック解除部材を上下動させ、それに伴ってロック解除部材がロック受け部材とロックレバーの係合を外すことにより、施錠杆のロックを解除して前面扉や本体枠を開放できるようになっている。
【先行技術文献】
【特許文献】
【０００５】
【特許文献１】特開２０１０−１３１２６６号公報
【発明の概要】
【発明が解決しようとする課題】
【０００６】
しかしながら、特許文献１に開示された従来の施錠装置においては、ベース部材に揺動可能に支持したロックレバーを機枠側や前面扉側の当接部に押し当てて変位させることにより、このロックレバーを対応するロック受け部材に係合させて施錠杆の上下動をロックする構成となっているので、製造上の寸法誤差や経年劣化等に起因してロックレバーの押し込み量が変動すると、施錠杆のロック動作／ロック解除が不完全になる虞があった。すなわち、ロックレバーの押し込み量が規定値に対して不足すると、前面扉や本体枠を閉じてもロックレバーがロック受け部材と係合しなくなるため、施錠杆をロックすることができなくなる。その反対にロックレバーの押し込み量が規定値に対して多くなり過ぎると、キーの回転操作によってロック解除部材を上下動させても、ロック受け部材がロックレバーから外れなくなるため、前面扉や本体枠を開放しようとしても施錠杆をロック解除できなくなる。
【０００７】
このように、特許文献１に開示された従来の施錠装置では、本体枠に組み込まれたベース部材側のロックレバーと機枠側や前面扉側の当接部との相対位置に寸法的な余裕がほとんどなく、しかも、機枠や前面扉の構造（当接部の位置等）を配慮した設計が余儀なくされるため、ロック機構やレイアウト等の制限が厳しいものとなり、設計上の自由度が小さいという難点があった。
【０００８】
本発明は、このような従来技術の実情に鑑みてなされたもので、その目的は、本体枠に組み付けた施錠装置をシリンダ錠の鍵穴に差し込んだキーによって確実に解錠／施錠することができるパチンコ機を提供することにある。
【課題を解決するための手段】
【０００９】
上記の目的を達成するために、本発明は、機枠と、この機枠に対してヒンジ機構を介して開閉可能に軸支された本体枠と、この本体枠に対して別のヒンジ機構を介して開閉可能に軸支された前面扉と、シリンダ錠を有する施錠装置とを備え、前記施錠装置によって前記本体枠が前記機枠に対して施錠されると共に、前記前面扉が前記本体枠に対して施錠されるパチンコ機において、前記施錠装置は、前記本体枠に設置された縦長状のベース部材と、このベース部材に上下動可能に支持されて機枠側の受け部に係止可能な鉤部を有する第１の施錠杆と、前記ベース部材に上下動可能に支持されて前面扉側の受け部に係止可能な鉤部を有する第２の施錠杆と、これら第１および第２の施錠杆を前記ベース部材の長手方向に沿って互いに逆向きに付勢する第１の弾性手段と、前記ベース部材に揺動可能に支持されて前記第１の施錠杆に係脱可能な第１のロックレバーと、前記ベース部材に揺動可能に支持されて前記第２の施錠杆に係脱可能な第２のロックレバーと、これら両ロックレバーを対応する前記第１および第２の施錠杆と係合する方向へ付勢する第２の弾性手段と、前記ベース部材に揺動可能に支持されて前記機枠に接離可能な第１の規制レバーと、前記ベース部材に揺動可能に支持されて前記前面扉に接離可能な第２の規制レバーと、これら両規制レバーを対応する前記ロックレバーと係合する方向へ付勢する第３の弾性手段と、前記シリンダ錠の鍵穴に差し込んだキーの回転操作によって前記ベース部材の長手方向に沿って上下動するロック解除部材とを有しており、前記本体枠と前記前面扉がいずれも施錠されているとき、前記第１および第２のロックレバーがそれぞれ対応する前記第１および第２の施錠杆に係合することにより、これら第１および第２の施錠杆は前記鉤部を対応する前記受け部に係止した状態でロックされていると共に、前記第１および第２の規制レバーはそれぞれ前記機枠と前記前面扉に当接して非作動位置に保持されており、前記キーの回転操作に伴って前記ロック解除部材を上下いずれか一方へ移動することにより、該ロック解除部材が前記第１および第２の前記ロックレバーのいずれか一方を揺動させて対応する前記第１または第２の施錠杆のロック状態を解除するようになし、前記本体枠が前記機枠に対して解錠されたとき、前記第１の規制レバーが前記機枠から離反して前記第１のロックレバーに圧接されることにより、該第１のロックレバーが前記第１の施錠杆をロック解除状態に維持すると共に、前記前面扉が前記本体枠に対して解錠されたとき、前記第２の規制レバーが前記前面扉から離反して前記第２のロックレバーに圧接されることにより、該第２のロックレバーが前記第２の施錠杆をロック解除状態に維持するようにした。
【００１０】
このように構成されたパチンコ機では、本体枠と前面扉がいずれも施錠されているとき、機枠側の受け部に係止している第１の施錠杆の上下動が第１のロックレバーによって阻止されていると共に、前面扉側の受け部に係止している第２の施錠杆の上下動が第２のロックレバーによって阻止されているため、外部から挿入した針金等を用いて第１および第２の施錠杆を移動することはできず、キーを用いずに前面扉や本体枠を解錠するという不正行為を防止することができる。その際、第１および第２の規制レバーはそれぞれ機枠と前面扉に当接して非作動位置に保持されている。
【００１１】
本体枠と前面扉のいずれか一方、例えば機枠に対して本体枠を解錠する場合は、キーを回転操作してロック解除部材を上下いずれか一方へ移動させると、その移動方向に応じて第１のロックレバーが第１の施錠杆とのロック状態を解除し、該ロックレバーは非作動位置に保持された第１の規制レバーから離反する。かかるロック解除後にキーを同方向へさらに回転操作すると、第１の施錠杆が第１の弾性手段の付勢力に抗して上下いずれか一方へ移動し、それに伴って第１の施錠杆の鉤部と機枠側の受け部との係合が解除されるため、この時点で機枠に対して本体枠を開放動作することができる。そして、本体枠の開放動作に伴って機枠に拘束されていた第１の規制レバーが機枠から離反し、この規制レバーが第３の弾性手段の付勢力により作動位置まで揺動して第１のロックレバーに圧接されるため、第１のロックレバーの第１の施錠杆に対するロック動作が第１の規制レバーによって阻止される。したがって、本体枠が機枠に対して開放されているときに、第１の施錠杆が対応する第１のロックレバーに誤ってロックされてしまうことはない。なお、本体枠に対して前面扉を解錠する場合は、キーを上記と逆向きに回転操作してロック解除部材を上下動させると、第２のロックレバーが揺動して第２の施錠杆とのロック状態を解除することにより、第２の施錠杆の鉤部と前面扉側の受け部との係合を解除することができ、この場合、前面扉の開放動作に伴って第２の規制レバーが第２のロックレバーに圧接されるため、前面扉は第２のロックレバーと第２の施錠杆をアンロック状態としたまま本体枠に対して開放される。
【００１２】
また、解錠状態にある本体枠と前面扉のいずれか一方、例えば機枠に対して本体枠を施錠する場合は、本体枠を閉鎖方向へ回動して第１の施錠杆の鉤部を機枠側の受け部に当接させた後、本体枠をさらに閉鎖方向へ回動して機枠側へ押し込むと、第１の施錠杆は鉤部が受け部を通過するまで初期位置から離反する方向へ移動し、その後に第１の弾性手段の付勢力によって初期位置へ戻るため、第１の施錠杆の鉤部を機枠側の受け部に係止させることができる。この場合、本体枠の閉鎖動作に伴って第１の規制レバーが機枠に当接すると、第１の規制レバーが非作動位置まで揺動して第１のロックレバーに対する拘束を解除するため、第１のロックレバーが第２の弾性手段の付勢力により揺動して初期位置に戻った第１の施錠杆に係合する。したがって、機枠に対して本体枠を閉じると、第１の施錠杆の上下動が再び第１のロックレバーによって阻止され、外部から挿入した針金等を用いて第１の施錠杆を移動することはできなくなる。なお、本体枠に対して前面扉を施錠する場合は、前面扉を閉鎖方向へ回動して前面扉側の受け部を第２の施錠杆の鉤部に当接させた後、前面扉をさらに閉鎖方向へ回動して本体枠側へ押し込めば良い。この場合、前面扉の閉鎖動作に伴って第２の規制レバーが前面扉に当接すると、第２の規制レバーが非作動位置まで揺動して第２のロックレバーに対する拘束を解除するため、本体枠に対して前面扉を閉じると、第２の施錠杆の上下動が再び第２のロックレバーによって阻止され、外部から挿入した針金等を用いて第２の施錠杆を移動することはできなくなる。
【００１３】
上記の構成において、第１および第２の施錠杆やロックレバー等の構成部品を全てベース部材に組み込むようにしても良いが、ベース部材がロック解除部材を挟んで一体化されたベース本体とカバー体とを有しており、ベース本体に第１および第２の施錠杆が上下動可能に支持されていると共に、カバー体に第１および第２のロックレバーと第１および第２の規制レバーとがそれぞれ揺動可能に支持されていることが好ましい。
【発明の効果】
【００１４】
本発明のパチンコ機は、本体枠と前面扉がいずれも施錠されているとき、機枠側の受け部に係止している第１の施錠杆の上下動が第１のロックレバーによって阻止されていると共に、前面扉側の受け部に係止している第２の施錠杆の上下動が第２のロックレバーによって阻止されているため、外部から挿入した針金等を用いて第１および第２の施錠杆を移動することはできず、キーを用いずに前面扉や本体枠を解錠するという不正行為を防止することができる。そして、シリンダ錠の鍵穴に差し込んだキーを回転操作してロック解除部材を上下動させると、第１および第２のロックレバーが選択的に揺動して第１の施錠杆や第２の施錠杆をロック解除することができ、本体枠や前面扉の開放時は規制レバーを対応するロックレバーに圧接させてロック解除状態を維持することにより、第１の施錠杆や第２の施錠杆が対応するロックレバーに誤ってロックされてしまうことを防止できる。したがって、このパチンコ機は、本体枠に組み付けた施錠装置をキーの回転操作によって確実に解錠／施錠することができると共に、ロック機構や施錠装置の配置場所等を含めた設計上の自由度を高めることができる。
【図面の簡単な説明】
【００１５】
【図１】本発明の実施形態例に係るパチンコ機の斜視図である。
【図２】図１に示すパチンコ機の前面扉を開放した状態の斜視図である。
【図３】図１に示すパチンコ機の背面図である。
【図４】図１のパチンコ機に備えられる施錠装置の斜視図である。
【図５】該施錠装置からカバー体を取り除いて示す斜視図である。
【図６】該施錠装置の側面図である。
【図７】該施錠装置の分解斜視図である。
【図８】機枠に対して本体枠を開閉するときの該施錠装置の動作説明図である。
【図９】図８（ａ）の要部拡大図である。
【図１０】図８（ｂ）の要部拡大図である。
【図１１】図８（ｃ）の要部拡大図である。
【図１２】図８（ｄ）の要部拡大図である。
【図１３】本体枠に対して前面扉を開閉するときの該施錠装置の動作説明図である。
【図１４】図１３（ａ）の要部拡大図である。
【図１５】図１３（ｂ）の要部拡大図である。
【図１６】図１３（ｃ）の要部拡大図である。
【図１７】図１３（ｄ）の要部拡大図である。
【発明を実施するための形態】
【００１６】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１７】
図２に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１８】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２は前面扉３によって覆い隠される設置部２ｂとなっており、この設置部２ｂ内の下部中央には遊技球を遊技領域９に向けて発射する発射装置１０が配設されている。
【００１９】
本体枠２の右側枠部は第１ヒンジ機構と反対側の自由端側であり、この右側枠部の裏面には図４等に示す施錠装置３０が設置されている。詳細な構成については後述するが、この施錠装置３０は、シリンダ錠１１や後部施錠杆（第１の施錠杆）３１や前部施錠杆（第２の施錠杆）３２等を備えており、シリンダ錠１１は本体枠２の前方へ突出して前面扉３の切欠き３ｂ内に露出するようになっている。常態では、施錠装置３０の後部施錠杆３１により本体枠２が機枠１に対して施錠されると共に、前部施錠杆３２により前面扉３が本体枠２に対して施錠されている。そして、シリンダ錠１１の鍵穴に差し込んだ図示せぬキーを一方向（例えば時計回り）へ回転操作すると、後部施錠杆３１が下動して本体枠２が解錠され、シリンダ錠１１ａの鍵穴に差し込んだキーを他方向（反時計回り）へ回転操作すると、前部施錠杆３２が上動して前面扉３が解錠されるようになっている。
【００２０】
図１に戻り、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。前面扉３には遊技盤７の盤面に対向する大きな開口３ａが開設されており、この開口３ａは透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００２１】
図３に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前述した賞球払出装置１９と、主制御基板１７からの指令を受けて賞球払出装置１９を制御する払出制御基板２０と、操作ハンドル１６の回動量に応じて発射装置１０の作動を制御する発射制御基板２１と、大当たり回数等の各種情報を遊技場のホールコンピュータに出力する外部端子基板２２等が設けられている。
【００２２】
図４〜図７に示すように、前記施錠装置３０は、本体枠２の右側枠部に取り付けられる縦長状のベース本体３３と、ベース本体３３の一面側に固定された取付板３４と、取付板３４にネジ止めされた前記シリンダ錠１１と、シリンダ錠１１の錠軸に取り付けられたカム板３５と、ベース本体３３の他面側に固定されたカバー体４１と、ベース本体３３の他面側に上下動可能に支持された前記後部施錠杆３１および前部施錠杆３２と、カバー体４１に揺動可能に支持された第１および第２のロックレバー３６，３７と、カバー体４１に揺動可能に支持された第１および第２の規制レバー３８，３９と、ベース本体３３の長手方向に沿って上下動可能なロック解除部材４０等を備えており、ベース本体３３とカバー体４１によってベース部材が構成されている。
【００２３】
ベース本体３３は金属板からなり、その中央よりも下側箇所に幅広部３３ａが形成されている。カバー体４１は幅広部３３ａを覆うようにベース本体３３にネジ止め固定されており、これらベース本体３３とカバー体４１間にロックレバー３６，３７やロック解除部材４０等を配置するための収納空間が確保されている。
【００２４】
シリンダ錠１１は前面側に露出する鍵穴１１ａを有しており、この鍵穴１１ａに差し込んだキーを回転操作すると、その回転方向に応じてカム板３５が所定角度の範囲内を回転するようになっている。このカム板３５は二股形状の駆動腕３５ａ，３５ｂを有しており、これら駆動腕３５ａ，３５ｂはベース本体３３を挿通して前記収納空間の内部に達している。
【００２５】
後部施錠杆３１と前部施錠杆３２はいずれも金属板からなり、これら各施錠杆３１，３２は複数本のピン４２を用いてベース本体３３の他面側に積層状態で上下動可能に支持されている。後部施錠杆３１と前部施錠杆３２との間には第１の弾性手段であるコイルばね４３が張架されており、このコイルばね４３によって後部施錠杆３１は上方、前部施錠杆３２は下方へそれぞれ付勢されている。後部施錠杆３１の上下両端には鉤部３１ａが形成されており、これら鉤部３１ａは本体枠２の背面側へ突出している。本体枠２が機枠１に対して施錠されているとき、鉤部３１ａは機枠１に設けられた受け部１ａに係止しており（図９参照）、鉤部３１ａと受け部１ａの係合が解除されることにより、本体枠２を機枠１に対して開放できるようなっている（図１１参照）。また、後部施錠杆３１の下側箇所には一対の長孔３１ｂが上下方向に沿って穿設されており、上方の長孔３１ｂの側方には係合突部３１ｃが形成されている。
【００２６】
前部施錠杆３２の上下両端と中央付近は鉤部３２ａが形成されており、これら鉤部３２ａはベース本体３３を挿通して本体枠２の前面側へ突出している。前面扉３が本体枠２に対して施錠されているとき、鉤部３２ａは前面扉３に設けられた背板面（受け部）３ｃに係止しており（図１４参照）、鉤部３２ａと背板面３ｃの係合が解除されることにより、前面扉３を本体枠２に対して開放できるようなっている（図１６参照）。また、前部施錠杆３２の下側箇所には一対の長孔３２ｂが上下方向に沿って穿設されており、上方の長孔３２ｂの側方には係合突部３２ｃが形成されている。
【００２７】
第１のロックレバー３６はピン４４を用いてカバー体４１の下部側に揺動可能に支持されており、その揺動中心から上方へ離反した位置に突起状の駆動受３６ａが形成されている。第１のロックレバー３６の下端部とカバー体４１との間には第２の弾性手段である捩りコイルばね４５が介設されており、第１のロックレバー３６はこの捩りコイルばね４５によって後部施錠杆３１に近接する方向へ付勢されている。また、第１のロックレバー３６の上端部には係止突起３６ｂが形成されており、この係止突起３６ｂは第１のロックレバー３６の揺動に伴って後部施錠杆３１の係合突部３１ｃに対して係脱可能となっている。
【００２８】
第２のロックレバー３７はピン４６を用いてカバー体４１の上部側に揺動可能に支持されており、その揺動中心から下方へ離反した位置に突起状の駆動受３７ａが形成されている。第２のロックレバー３７の上端部とカバー体４１との間には第２の弾性手段である捩りコイルばね４７が介設されており、第２のロックレバー３７はこの捩りコイルばね４７によって前部施錠杆３２に近接する方向へ付勢されている。また、第２のロックレバー３７の下端部には係止突起３７ｂが形成されており、この係止突起３７ｂは第２のロックレバー３７の揺動に伴って前部施錠杆３２の係合突部３２ｃに対して係脱可能となっている。
【００２９】
第１の規制レバー３８は第１のロックレバー３６の下部近傍に配置された長尺状部材であり、その中央部がピン４８を用いてカバー体４１の下部側に揺動可能に支持されている。第１の規制レバー３８とカバー体４１との間には第３の弾性手段であるコイルばね４９が張架されており、このコイルばね４９によって第１の規制レバー３８は下端側を本体枠２の背面側へ突出する方向、換言すると上端側を第１のロックレバー３６に近付ける方向へ付勢されている。
【００３０】
第２の規制レバー３９は第２のロックレバー３７の上部近傍に配置されたＶ字状部材であり、その中央部がピン５０を用いてカバー体４１の上部側に揺動可能に支持されている。第２の規制レバー３９とカバー体４１との間には第３の弾性手段であるコイルばね５１が張架されており、このコイルばね５１によって第２の規制レバー３９は一方の腕部を本体枠２の前面側へ突出する方向、換言すると他方の腕部を第２のロックレバー３７に近付ける方向へ付勢されている。
【００３１】
ロック解除部材４０はカバー体４１によって上下方向へガイドされている板状体であり、その長手方向に沿って一対の連結孔４０ａ，４０ｂが形成されている。前述したカム板３５の駆動腕３５ａ，３５ｂは後部施錠杆３１と前部施錠杆３２の各長孔３１ｂ，３２ｂを挿通してロック解除部材４０の連結孔４０ａ，４０ｂに係合しており、カム板３５の回転方向に応じて後部施錠杆３１と前部施錠杆３２およびロック解除部材４０が上下いずれかの方向へ移動するようになっている。ロック解除部材４０の一側面には上下両端をテーパ面とした駆動部４０ｃが形成されており、ロック解除部材４０が初期位置から下方へ移動すると、駆動部４０ｃの下端側のテーパ面が第１のロックレバー３６の駆動受３６ａを押圧することで、第１のロックレバー３６が捩りコイルばね４５の付勢力に抗して後部施錠杆３１から離反する方向へ揺動する。その反対にロック解除部材４０が初期位置から上方へ移動すると、駆動部４０ｃの上端側のテーパ面が第２のロックレバー３７の駆動受３７ａを押圧することで、第２のロックレバー３７が捩りコイルばね４７の付勢力に抗して前部施錠杆３２から離反する方向へ揺動する。
【００３２】
このように構成された施錠装置３０は、図４と図６に示すように、ベース本体３３とカバー体４１に両施錠杆３１，３２や両ロックレバー３６，３７やロック解除部材４０等を組み込んでユニット化した後、ベース本体３３を本体枠２の右側枠部の裏面にネジ止め等の固定手段を用いて取り付けることで使用される。以下、かかる施錠装置３０の動作を主として図８〜図１７に基づいて説明する。なお、図８〜図１２は機枠１に対して本体枠２を開閉する場合の動作説明図、図１３〜図１７は本体枠２に対して前面扉３を開閉する場合の動作説明図であり、これらの図において、本体枠２と前面扉３は図示省略されている。
【００３３】
本実施形態例に係るパチンコ機Ｐにおいて、常態では、本体枠２が機枠１に対して閉じられていると共に、前面扉３が本体枠２に対して閉じられている。図８（ａ）と図１３（ａ）に示すように、この場合、後部施錠杆３１と前部施錠杆３２およびロック解除部材４０はいずれも初期位置にあり、後部施錠杆３１の鉤部３１ａは機枠１の受け部１ａに係止し、前部施錠杆３２の鉤部３２ａは前面扉３の背板面３ｃに係止している。また、第１のロックレバー３６と第２のロックレバー３７はいずれもロック位置にあり、図９から明らかなように、第１のロックレバー３６の係止突起３６ｂが係合突部３１ｃの下側に位置して後部施錠杆３１の下動を阻止し、第２のロックレバー３７の係止突起３７ｂが係合突部３２ｃの上側に位置して前部施錠杆３２の上動を阻止しているため、後部施錠杆３１と前部施錠杆３２はいずれもロック状態に維持されている。したがって、外部から挿入した針金等を用いて後部施錠杆３１や前部施錠杆３２を上下動することはできず、キーを用いずに本体枠２や前面扉３を解錠するという不正行為を防止できる。また、このように本体枠２と前面扉３が閉じられているとき、第１の規制レバー３８は機枠１の受け部１ａに押し当てられて第１のロックレバー３６に近接し、第２の規制レバー３９は前面扉３の背板面３ｃに押し当てられて第２のロックレバー３７に近接しており、これら第１および第２の規制レバー３８，３９はいずれも非作動位置に保持されている。
【００３４】
この状態から本体枠２と前面扉３のいずれか一方、例えば機枠１に対して本体枠２を解錠する場合、シリンダ錠１１の鍵穴１１ａに差し込んだキーを時計回りに回転操作すると、それに伴ってカム板３５が時計回りに回転して初期位置にあるロック解除部材４０を下方へ移動させる。このようにロック解除部材４０が初期位置から下方へ移動し始めると、まず、駆動部４０ｃの下端側のテーパ面が駆動受３６ａに当接して第１のロックレバー３６を捩りコイルばね４５の付勢力に抗して図９の時計回りに揺動させるため、図８（ｂ）と図１０に示すように、第１のロックレバー３６の係止突起３６ｂが後部施錠杆３１の係合突部３１ｃの側方へ移動する。これにより、後部施錠杆３１は第１のロックレバー３６によるロックが解除されたアンロック状態となり、第１のロックレバー３６の下端部は非作動位置に保持された第１の規制レバー３８から離反する。
【００３５】
かかるロック解除後にキーをさらに時計回りへ回転操作すると、カム板３５の一方の駆動腕３５ｂが後部施錠杆３１の長孔３１ｂの下辺に当接して後部施錠杆３１をコイルばね４３の付勢力に抗して下方へ移動させるため、後部施錠杆３１の鉤部３１ａと機枠１の受け部１ａとの係合が解除される。この時点で後部施錠杆３１による施錠は解除されてアンロック状態となっているため、図８（ｃ）と図１１に示すように、本体枠２を機枠１に対して開放することができる。なお、この間にロック解除部材４０はカム板３５の回転に伴って初期位置から下方へ移動するが、カム板３５の駆動腕３５ａ，３５ｂは前部施錠杆３２の長孔３２ｂ内を移動するだけであるため、前部施錠杆３２はカム板３５に駆動されることなく初期位置で停止している。また、後部施錠杆３１の鉤部３１ａと機枠１の受け部１ａとの係合が解除された後、本体枠２を開放することなくそのままキーを手放して上記操作力が除去されると、後部施錠杆３１がコイルばね４３の付勢力により上方へ移動して初期位置に戻るため、この後部施錠杆３１の長孔３１ｂに係合するカム板３５が初期位置に向けて回転する。これにより、カム板３５と係合するロック解除部材４０が上方へ移動して初期位置に戻ると共に、第１のロックレバー３６が捩りコイルばね４５の付勢力によりロック位置に向かって揺動するため、図８（ａ）と図９に示すように、第１のロックレバー３６の係止突起３６ｂが係合突部３１ｃの下側に移動し、後部施錠杆３１は第１のロックレバー３６によって再びロック状態に維持される。
【００３６】
このようにキーを用いて本体枠２を機枠１に対して開放すると、それまで非作動位置に拘束されていた第１の規制レバー３８が機枠１の受け部１ａから離反し、第１の規制レバー３８がコイルばね４９の付勢力を受けて図１０の反時計回りに揺動するため、図１１に示すように、第１の規制レバー３８が作動位置まで移動して第１のロックレバー３６の下端部に圧接される。その結果、第１のロックレバー３６のロック位置へ戻ろうとする揺動動作が第１の規制レバー３８によって阻止されるため、第１のロックレバー３６の後部施錠杆３１に対するアンロック状態が第１の規制レバー３８によって維持される。ここで、コイルばね４９が第１の規制レバー３８を介して第１のロックレバー３６をアンロック位置に維持しようとする付勢力Ｑ１と、捩りコイルばね４５が第１のロックレバー３６をロック位置に戻そうとする付勢力Ｑ２とを比較すると、付勢力Ｑ１の方が付勢力Ｑ２よりも大きくなるように両コイルばね４５，４９のばね圧が設定されているため、第１のロックレバー３６はアンロック位置に確実に保持される。したがって、本体枠２が機枠１に対して開放されているときに、後部施錠杆３１が誤って第１のロックレバー３６にロックされてしまうことはなく、開放動作後の本体枠２を閉じられなくなるという不具合は発生しない。
【００３７】
また、開放状態にある本体枠２を開放位置から閉鎖方向へ回動すると、図８（ｄ）と図１２に示すように、まず、後部施錠杆３１に形成された鉤部３１ａの傾斜面が機枠１の受け部１ａに当接し、この状態で本体枠２をさらに閉鎖方向へ回動して機枠１側へ押し込むと、その押し込み力によって後部施錠杆３１がコイルばね４３の付勢力に抗して下方へ移動する。そして、鉤部３１ａの傾斜面が受け部１ａを通過すると、後部施錠杆３１がコイルばね４３の付勢力により初期位置に向かって上方へ移動するため、鉤部３１ａは受け部１ａに係止される。また、これに前後して第１の規制レバー３８の下端部が機枠１の受け部１ａに押し付けられることで、第１の規制レバー３８が図１２の時計回りに揺動して第１のロックレバー３６から離反するため、第１のロックレバー３６が捩りコイルばね４５の付勢力によりロック位置に向かって揺動する。その結果、図８（ａ）と図９に示すように、初期位置に戻った後部施錠杆３１の係合突部３１ｃの下側に第１のロックレバー３６の係止突起３６ｂが移動し、後部施錠杆３１は第１のロックレバー３６によって下方への移動が阻止されたロック状態となる。
【００３８】
一方、本体枠２に対して前面扉３を解錠する場合は、シリンダ錠１１の鍵穴１１ａに差し込んだキーを上記と逆方向（反時計回り）に回転操作すれば良く、この場合、図１４〜図１７に示すように、後部施錠杆３１や第１のロックレバー３６の代わりに前部施錠杆３２や第２のロックレバー３７が同様に動作する。すなわち、キーの回転操作に伴ってロック解除部材４０が初期位置から上方へ移動し始めると、まず、駆動部４０ｃの上端側のテーパ面が駆動受３７ｃに当接して第２のロックレバー３７を図１４の反時計回りに揺動させるため、図１３（ｂ）と図１５に示すように、第２のロックレバー３７の係止突起３７ｂが前部施錠杆３２の係合突部３２ｂの側方へ移動し、前部施錠杆３２は第２のロックレバー３７によるロックが解除されたアンロック状態となる。
【００３９】
かかるロック解除後にキーをさらに反時計回りへ回転操作すると、カム板３５の他方の駆動腕３５ａが前部施錠杆３２の長孔３２ｂの上辺に当接して前部施錠杆３２をコイルばね４３の付勢力に抗して上方へ移動させるため、図１３（ｃ）と図１６に示すように、前部施錠杆３２の鉤部３２ａと前面扉３の背板面３ｃとの係合が解除される。この時点で前部施錠杆３２による施錠は解除されてアンロック状態となっているため、前面扉３を本体枠２に対して開放することができる。なお、この間にロック解除部材４０はカム板３５の回転に伴って初期位置から上方へ移動するが、カム板３５の駆動腕３５ａ，３５ｂは後部施錠杆３１の長孔３１ｂ内を移動するだけであるため、後部施錠杆３１はカム板３５に駆動されることなく初期位置で停止している。また、前部施錠杆３２の鉤部３２ａと前面扉３の背板面３ｃとの係合が解除された後、前面扉３を開放することなくそのままキーを手放して上記操作力が除去されると、前部施錠杆３２がコイルばね４３の付勢力により下方へ移動して初期位置に戻るため、この前部施錠杆３２の長孔３２ｂに係合するカム板３５が初期位置に向けて回転する。これにより、カム板３５と係合するロック解除部材４０が下方へ移動して初期位置に戻ると共に、第２のロックレバー３７が捩りコイルばね４７の付勢力によりロック位置に向かって揺動するため、図１３（ａ）と図１４に示すように、第２のロックレバー３７の係止突起３７ｂが係合突部３２ｃの上側に移動し、前部施錠杆３２は第２のロックレバー３７によって再びロック状態に維持される。
【００４０】
このようにキーを用いて前面扉３を本体枠２に対して開放すると、それまで非作動位置に拘束されていた第２の規制レバー３９の一方の腕部が前面扉３の背板面３ｃから離反し、第２の規制レバー３９がコイルばね５１の付勢力を受けて図１５の時計回りに揺動するため、図１６に示すように、第２の規制レバー３９が作動位置まで移動して第２のロックレバー３７の上端部に圧接される。その結果、第２のロックレバー３７のロック位置へ戻ろうとする揺動動作が第２の規制レバー３９によって阻止されるため、第２のロックレバー３７の前部施錠杆３２に対するアンロック状態が第２の規制レバー３９によって維持される。ここで、コイルばね５１が第２の規制レバー３９を介して第２のロックレバー３７をアンロック位置に維持しようとする付勢力Ｑ３と、捩りコイルばね４７が第２のロックレバー３７をロック位置に戻そうとする付勢力Ｑ４とを比較すると、付勢力Ｑ３の方が付勢力Ｑ４よりも大きくなるように両コイルばね４７，５１のばね圧が設定されているため、第２のロックレバー３７はアンロック位置に確実に保持される。したがって、前面扉３が本体枠２に対して開放されているときに、前部施錠杆３２が誤って第２のロックレバー３７にロックされてしまうことはなく、開放動作後の前面扉３を閉じられなくなるという不具合は発生しない。
【００４１】
また、開放状態にある前面扉３を開放位置から閉鎖方向へ回動すると、図１３（ｄ）と図１７に示すように、まず、前部施錠杆３２に形成された鉤部３２ａの傾斜面が前面扉３の背板面３ｃに当接し、この状態で前面扉３をさらに閉鎖方向へ回動して本体枠２側へ押し込むと、その押し込み力によって前部施錠杆３２がコイルばね４３の付勢力に抗して上方へ移動する。そして、鉤部３２ａの傾斜面が背板面３ｃを通過すると、前部施錠杆３２がコイルばね４３の付勢力により初期位置に向かって下方へ移動するため、鉤部３２ａは背板面３ｃに係止される。また、これに前後して第２の規制レバー３９の一方の腕部が前面扉３の背板面３ｃに押し付けられることで、第２の規制レバー３９が図１７の反時計回りに揺動して第２のロックレバー３７から離反するため、第２のロックレバー３７が捩りコイルばね４７の付勢力によりロック位置に向かって揺動する。その結果、図１３（ａ）と図１４に示すように、初期位置に戻った前部施錠杆３２の係合突部３２ｃの上側に第２のロックレバー３７の係止突起３７ｂが移動するため、前部施錠杆３２は第２のロックレバー３７によって上方への移動が阻止されたロック状態となる。
【００４２】
以上説明したように、本実施形態例に係るパチンコ機Ｐでは、本体枠２と前面扉３がいずれも施錠されているとき、機枠１側の受け部１ａに係止している後部施錠杆（第１の施錠杆）３１の上下動が第１のロックレバー３６によって阻止されると共に、前面扉３側の背板面（受け部）３ｃに係止している前部施錠杆（第２の施錠杆）３２の上下動が第２のロックレバー３７によって阻止されるようになっているため、外部から挿入した針金等を用いて後部施錠杆３１や前部施錠杆３２を上下動することはできず、キーを用いずに本体枠２や前面扉３を解錠するという不正行為を防止することができる。そして、シリンダ錠１１の鍵穴１１ａに差し込んだキーを回転操作してロック解除部材４０を上下動させると、第１および第２のロックレバー３６，３７が選択的に揺動して後部施錠杆３１や前部施錠杆３２をロック解除することができ、本体枠２や前面扉３の開放時は第１および第２の規制レバー３８，３９を第１および第２のロックレバー３６，３７に圧接させてロック解除状態（アンロック状態）を維持することにより、後部施錠杆３１や前部施錠杆３２が対応するロックレバー３６，３７に誤ってロックされてしまうことを防止できる。したがって、このパチンコ機Ｐは、本体枠２に組み付けた施錠装置３０をシリンダ錠１１の鍵穴１１ａに差し込んだキーの回転操作によって確実に解錠／施錠することができると共に、ロック機構や施錠装置３０の配置場所等を含めた設計上の自由度を高めることができる。
【００４３】
また、本実施形態例に係るパチンコ機Ｐでは、本体枠２に設置されるベース部材がロック解除部材４０を挟んで一体化されたベース本体３３とカバー体４１とからなり、施錠装置３０の各構成部品のうち、後部施錠杆３１と前部施錠杆３２をベース本体３３に上下動可能に支持させると共に、第１および第２のロックレバー３６，３７と第１および第２の規制レバー３８，３９をカバー体４１に揺動可能に支持させているため、施錠装置３０の組立作業性を高めることができると共に、後部施錠杆３１や前部施錠杆３２による解錠／施錠動作を確実に行わせることができる。
【００４４】
なお、上記実施形態例では、透明板４や操作ハンドル１６等が設けられた一体型の前面扉３を本体枠２に開閉可能に軸支したパチンコ機Ｐについて説明したが、透明板等が設けられた上扉と操作ハンドル等が設けられた下扉とからなる分離タイプの前面扉にも本発明は適用可能であり、その場合、上扉を開放しない限り下扉を開放できないようになっていれば、前部施錠杆３２の鉤部３２ａを上扉側の受け部に係止させることにより、上扉と下扉の両方を本体枠２に対して施錠することができる。
【００４５】
また、上記実施形態例では、キーを一方向へ回転操作して後部施錠杆３１を下動させることで本体枠２が解錠され、キーを他方向へ回転操作して前部施錠杆３２を上動させることで前面扉３が解錠されるようになっているが、これとは逆に、後部施錠杆３１の上動によって本体枠２が解錠され、前部施錠杆３２の下動によって前面扉３が解錠される構成とすることも可能であり、その場合は、後部施錠杆３１をコイルばね（第１の弾性手段）４３によって下方へ付勢すると共に、前部施錠杆３２をコイルばね４３によって上方へ付勢すれば良い。
【００４６】
また、上記実施形態例では、第１の弾性手段であるコイルばね４３の両端を後部施錠杆３１と前部施錠杆３２に掛け止めすることにより、共通のコイルばね４３を用いて後部施錠杆３１と前部施錠杆３２を互いに逆向きに付勢しているが、個別のコイルばねを用いて後部施錠杆３１と前部施錠杆３２を互いに逆向きに付勢するようにしても良い。
【符号の説明】
【００４７】
１  機枠
１ａ  受け部
２  本体枠
３  前面扉
３ｃ  背板面（受け部）
１１  シリンダ錠
１１ａ  鍵穴
３０  施錠装置
３１  後部施錠杆（第１の施錠杆）
３１ａ  鉤部
３１ｂ  長孔
３１ｃ  係合突部
３２  前部施錠杆（第２の施錠杆）
３２ａ  鉤部
３２ｂ  長孔
３２ｃ  係合突部
３３  ベース本体（ベース部材）
３３ａ  幅広部
３４  取付板
３５  カム板
３５ａ，３５ｂ  駆動腕
３６  第１のロックレバー
３６ａ  駆動受
３６ｂ  係止突起
３７  第２のロックレバー
３７ａ  駆動受
３７ｂ  係止突起
３８  第１の規制レバー
３９  第２の規制レバー
４０  ロック解除部材
４０ａ，４０ｂ  連結孔
４０ｃ  駆動部
４１  カバー体（ベース部材）
４２，４４，４６，４８，５０  ピン
４３  コイルばね（第１の弾性手段）
４５，４７  捩りコイルばね（第２の弾性手段）
４９，５１  コイルばね（第３の弾性手段）
Ｐ  パチンコ機
【図１】
0005944739.tif 000002
【図２】
0005944739.tif 000003
【図３】
0005944739.tif 000004
【図４】
0005944739.tif 000005
【図５】
0005944739.tif 000006
【図６】
0005944739.tif 000007
【図７】
0005944739.tif 000008
【図８】
0005944739.tif 000009
【図９】
0005944739.tif 000010
【図１０】
0005944739.tif 000011
【図１１】
0005944739.tif 000012
【図１２】
0005944739.tif 000013
【図１３】
0005944739.tif 000014
【図１４】
0005944739.tif 000015
【図１５】
0005944739.tif 000016
【図１６】
0005944739.tif 000017
【図１７】
0005944739.tif 000018